(57)【要約】      （修正有）【課題】ジーゼルエンジン車の尿酸タンクにおいて、タンク内液体が盗難に合い難い車載用尿酸タンクの施錠装置を提供する。【解決手段】給液口２に、回転可能に被冠させたキャップ体３と、その中心軸線上に配置され、かつ連結用主爪があるシリンダー５などの錠と、上記キャップ体内にあって回転可能で、上記主爪４と連結可能な副爪を有し、かつ尿素等給液口の裏面外周側に係合可能な固定翼１４を設けた施錠連結体６により構成する。さらに、上記尿酸等給液口の縁は断面逆「Ｕ」字状の環状突条で、その水平軸線上の対向位置に上記固定翼の先端部分を嵌入させることができ切り込み１６を設ける。さらに、上記環状突条のかかる切り込み下端から水平方向で次の切り込みの上端に至る距離に上記固定翼上辺が常に接している斜めの湾状の水平切り込み１７があり、上記錠の開放時は上記主爪と施錠連結体の副爪との係合が開放されて、上記キャップ体はフリーな回動運動のみ可能となる。又、上記錠の施錠時、即ちタンクよりキャップ体等を取り外すときは、上記主爪と副爪の係合がなされて、上記キャップ体と施錠連結体が連結固着され共に回動可能となる。【選択図】図３
0003164161.tif 000002
【実用新案登録請求の範囲】
【請求項１】
車載用尿酸等のタンクの尿酸等給液口に、回転可能に被冠させたキャップ体と、
このキャップ体の中心軸線上に配置され、かつ連結用主爪があるシリンダーなどの錠と、
上記キャップ体内にあって回転可能で、上記主爪と連結可能な副爪を有し、かつ尿酸等給液口の裏面外周側に係合可能な固定翼を設けた施錠連結体からなり、
上記尿酸等給液口の縁は断面逆「Ｕ」字状の環状突条で、その水平軸線上の対向位置に上記固定翼の先端部分を嵌入させることができ切り込みがあり、
上記「Ｕ」字状の環状突条のかかる切り込み下端から水平方向で次の切り込みの上端に至る距離に上記固定翼上辺が常に接している斜めの湾状の水平切り込みがあり、
上記錠の開放時は上記主爪と施錠連結体の副爪との係合が開放されて、上記キャップ体はフリーな回動運動のみ可能となり、
上記錠の施錠時、即ちタンクよりキャップ体等を取り外すときは、上記主爪と副爪の係合がなされて、上記キャップ体と施錠連結体が連結固着され共に回動可能となるようにしたことを特徴とする車載用尿酸等タンクの施錠装置。
【考案の詳細な説明】
【技術分野】
【０００１】本案は、ジーゼルエンジン車などに設けられる尿酸等のタンクのキャップに関するものである。
【背景技術】
【０００２】ジーゼルエンジンはガソリンエンジンに比べて搬出ガスの中に、特に窒酸化物（ＮＯＸ）が多いこと一般的に知られたことである。この為近時はこの排ガスにアドブルー（尿素水溶液）を噴射することで、環境性の向上を図った画期的な発明がなされた。【０００３】而してこのアドブルー（尿素水溶液）を納めたタンクは、通常車両のラゲッジルームの床下に収められてお外部に剥き出しになっているため、尿酸水溶液が盗難に遭遇する虞があったが、従来のこの種タンクのキャップに尿素水溶液燃料の盗難を防止するためのキーを設置した発明乃至考案は見いだせない。【０００４】ただ、従来の燃料キャップにあって錠付きの構造を有するものとしては、特許文献１、や特許文献２、に示す技術が知られている。そして、それらはタンクのキャップに錠を施したもので、若し不心得者が液体を盗もうとキャップを廻しても、該キャップは所謂空回りして外れることがなく液体を盗むことができない。一方タンクに液体を給液するとき錠を解除し、キャップをタンクから取り外して行うことが出来るようにしたものである。
【先行技術文献】
【０００５】
【特許文献】
【特許文献１】特公昭５３−３９９３６号
【特許文献１】特公昭５８−２２４３５号
【考案の概要】
【考案が解決しようとする課題】
【０００６】しかし従来のこの種錠付キャップは、度重なるキャップの取り外しや車両の激しい振動でキャップが緩み、特にデリケートな尿素水溶液は外部に漏れやすくなり、また錠が施されているにも関わらず強い力のキャップの開放操作でキャップが破壊される等、尿素水溶液が盗難にあう虞があった。本案はこれらの欠点を除去する車載用尿酸等タンクの施錠装置を提供することにある。
【課題を解決するための手段】
【０００７】即ち本案の特徴は、車載用尿酸等のタンクの尿酸等給液口に、回転可能に被冠させたキャップ体と、このキャップ体の中心軸線上に配置され、かつ連結用主爪があるシリンダーなどの錠と、上記キャップ体内にあって回転可能で、上記主爪と連結可能な副爪を有し、かつ尿素等給液口の裏面外周側に係合可能な固定翼を設けた施錠連結体からなり、上記尿酸等給液口の縁は断面逆「Ｕ」字状の環状突条で、その水平軸線上の対向位置に上記固定翼の先端部分を嵌入させることができ切り込みがあり、上記「Ｕ」字状の環状突条のかかる切り込み下端から水平方向で次の切り込みの上端に至る距離に上記固定翼上辺が常に接している斜めの湾状の水平切り込みがあり、上記錠の開放時は上記主爪と施錠連結体の副爪との係合が開放されて、上記キャップ体はフリーな回動運動のみ可能となり、上記錠の施錠時、即ちタンクよりキャップ体等を取り外すときは、上記主爪と副爪の係合がなされて、上記キャップ体と施錠連結体が連結固着され共に回動可能となるようにしたことにある。
【考案の効果】
【０００８】而して本案の効果は、タンクの給液口に鍵付キャップ体を設けた構造であるから、タンク内の尿素水溶液が盗難に遭う虞がなくなったのである。またタンク内に尿素水溶液を給液するときは、錠を解除しキャップ体をタンクから取り外す方向に回すと、キャップ体が取り外すことができ大きな給液口を簡単に露出させることができるのである。【０００９】そして鍵をシリンダーから抜くと錠はロック状態になる。この時タンク内の尿素水溶液を盗もうとする不心得な者が現れて、キャップ体を外そうとしてもこのキャップ体は所謂空回りしてタンクから取り外すことができないのであり、従って強い力で無理にキャップを回しそうとしてキャップ体を破壊するような力が掛らないので、キャップ体は傷ついたり損傷することなく、激しい車両の振動があっても尿素水溶液を外部に漏洩することもないのである。【００１０】またかかるキャップ体とタンクの注液口の接続部分は、この注液口が「Ｕ」字状の嵌状突条となっており、キャップ体に設けた固定翼は、この嵌状突条の高さの異なる湾状水平切り込みと接しているから、キャップを回してタンクに取り付けるとき、最初は湾状水平切り込みの低いところから高い所に固定翼を連動させることで、タンクとキャップ体の密着度が増すようにさたから、この密着度が強くなってタンク内の尿素水溶液が漏れる虞れも未然に防止できたのである。
【図面の簡単な説明】
【００１１】
【図１】本案キャップ体を被冠させた車載用尿酸等のタンクの側面図。
【図２】同本案キャップ体の拡大側面図。
【図３】図２のＡ−Ａ拡大縦断面図にしてタンク部分を下方に下ろしたもの。
【図４】シリンダー錠に設けた主爪と、これに噛合する連結体の副爪の関連を表すそれぞれの斜視図。
【図５】車載用尿酸等のタンクの給液口部分平面図。
【図６】本案キャップ体の平面図。
【考案を実施するための形態】
【００１２】次に本案の一実施例を図面のもので説明すると、（３）は、車載用尿酸等のタンク（１）の尿酸等給液口（２）に、回転可能に被冠させたキャップ体である。
【００１３】（５）は上記このキャップ体（３）の中心垂直軸線上に配置されたシリンダーなどの錠で、その底部に鋸刃状の主爪（４）が突出して設けられている。
【００１４】また（６）は、上記キャップ（３）内下方にあって回転可能に支持された連結体で、皿状をなした上連結体（７）と、この上連結体（７）を同軸上に嵌合させた下連結体（８）からなる。
【００１５】上記上連結体（７）の詳細は、その外周下方が縦方向の歯型（１１）となっており、その底部の表面中央に錠（５）の下部が嵌合出来る環状突起（９）があり、その中央には上記錠（５）の主爪（４）と噛合可能な副爪（１０）を有する。
【００１６】また下連結体（８）の詳細は上連結体（７）と同様皿型で、内周の下方が上記上連結体（７）と噛合できる縦方向の歯型（１２）となっており、その内面中央には上記上連結体（７）の底面中央との間にそれぞれに上辺と下辺を固着させたコイルバネ（１３）がある。
【００１７】そしてこの下連結体（８）の底部裏面には、中央には上記尿酸等給液口（３）の裏面外周側に係合可能な固定翼（１４）が固定されている。
【００１８】図３と図５で尿酸等給液口（２）と固定翼（１４）との関連を説明すると、尿酸等給液口（２）の縁は断面逆「Ｕ」字状の環状突条（１５）となっており、その水平軸線上の対向位置に上記固定翼（１４）の先端部分を嵌入させることができる２つの切り込み（１６）があり、上記「Ｕ」字状の環状突条（１５）のかかる切り込み（１６）の下端から水平方向で次の切り込み（１６）の上端に至る距離に斜めの湾状の水平切り込み（１７）がある。
【００１９】なお、図で（１８）は、上記キャップ体（１）の上辺の一端に開閉可能にしてかつ、錠（５）の上面（即ち錠穴のある面）を覆う錠の蓋体である。
【００２０】なお、この実施例における錠（５）はシリンダ錠で、一般的なものでありその詳細な説明図示は省くが、錠（５）の施錠時（即ち鍵は外されている状態のとき）は、そのこの主爪（４）はフリー状態で錠（５）の下方に突出させており、
上連結体（７）の副爪（１０）の施錠が開放され、上記キャップ体（３）はフリーな回動運動のみ可能となっている。
【００２１】また、上記錠（５）の解錠時即ちタンク（２）よりキャップ体（１）等を取り外すときは、この主爪（４）が別途鍵が装着させたことで固定された状態となって副爪（１０）と係合し、上記キャップ体（３）と上下連結体（７）および（８）即ち双方の連結体（６）が連結固着され共に回動可能となるようになっている。
【００２２】しかして、タンク（１）内にアドブルー（尿素水溶液）を注ぐには、キャップ体（３）が外れた状態即ち図３の給液口（２）が露出された状態で行う。
【００２３】いまタンク（１）内にアドブルー（尿素水溶液）が満タンになったら、キャップ体（３）をタンク（１）の給液口（２）に被冠する。この場合キャップ体（３）の固定翼（１４）を給液口（２）の切り込み（１６）からタンク（１）内に嵌入させ、キャップ体（３）を図で時計方向に回すと上記固定翼（１４）の上辺が、水平切り込み（１７）の下辺に沿って滑動し、上記上下連結体（７）（８）間のコイルバネ（１３）によって強固に給液口（２）にキャップ体（３）が被冠されることになるのである。
【００２４】なおこの場合、錠（５）が所謂施錠時の状態、即ち上記のように主爪（４）と上連結体（７）の副爪（１０）の係合が開放されている。従ってもしタンク（１）内のアドブルー（尿素水溶液）を盗もうとする者が現れ、キャップ体（３）を廻してもキャップ体（３）は、その力を下連結体（８）に伝えることがなく従ってキャップ体（３）は所謂空回りすることになり、外されることはないのである。
【００２５】これとは逆にタンク（１）内のアドブルー（尿素水溶液）が空になり補充する時などは、錠の蓋体（１８）を開き、別途図示しない鍵を用いて錠（５）に押し込み回動させる。その結果この錠（５）の主爪（４）が上連結体（７）の副爪（１０）と係合する。
【産業上利用の分野】
【００２６】本考案は、特に車両に搭載されたアドブルー（尿素水溶液）のタンクへの応用について述べたが、大凡液体を携行する為のいずれのタンクにも応用できる。
【符号の説明】
【００２７】１、タンク
２、給液口
３、キャップ体
４、主爪
５、シリンダー
６、連結体
７、上連結体
８、下連結体
９、環状突起
１０、副爪
１１、１２、歯型
１３、コイルバネ
１４、固定翼
１５、環状突条
１６、切り込
１７、水平切り込み
１８、錠の蓋体
【図１】
0003164161.tif 000003
【図２】
0003164161.tif 000004
【図３】
0003164161.tif 000005
【図４】
0003164161.tif 000006
【図５】
0003164161.tif 000007
【図６】
0003164161.tif 000008